(57)【要約】      （修正有）【課題】特殊なマガジンを使用しなくても弾がない時に電力を切断でき、本物の銃弾がないときの撃発機構を形成し、同時に電気エネルギーと摩擦の損耗を減少することができる、トイガンの電力切断検出構造を提供する。【解決手段】トイガンの電力切断検出構造は、主に、トイガン本体と、トイガン本体の一側に定義されたマズル１１と、トイガン本体内に定義された輸送路と、トイガン本体内に定義され、マズル及び輸送路と相互に連通された収容空間１３と、トイガン本体内に設置された回路部材２と、トイガン本体内に設置され、かつ回路部材に電気的に接続された少なくとも１つのワイヤレスセンサー素子３と、収容空間の一側に設置され、かつ回路部材に電気的に接続された弾押出し装置４を含む。ワイヤレスセンサー素子によりマガジンからトイガン本体内に輸送されてくる弾丸を検出し、弾丸を検出しなくなると、回路部材に信号を伝送し、弾押出し装置の電力が切断される。【選択図】図３
0003229566.tif 000002
【実用新案登録請求の範囲】
【請求項１】
トイガンの電力切断検出構造であって、主に、トイガン本体と、輸送路と、収容空間と、回路部材と、少なくとも１つのワイヤレスセンサー素子と、弾押出し装置を含み、
該トイガン本体の一側にマズルが定義され、
該輸送路が該トイガン本体内に定義され、該輸送路にマガジンが連接され、
該収容空間が該トイガン本体内に定義され、かつ該マズル及び該輸送路と相互に連通され、 
該回路部材が該トイガン本体内に設置され、
該ワイヤレスセンサー素子が該トイガン本体内に設置され、該回路部材に電気的に接続され、かつ該ワイヤレスセンサー素子が該輸送路及び該収容空間の一側に配置され、該マガジンから輸送されてくる複数の弾丸を検出するために用いられ、
該弾押出し装置が該収容空間の該マズルから離れた一側に設置され、該回路部材に電気的に接続され、かつ該弾押出し装置の一側が該ワイヤレスセンサー素子の近隣に位置することを特徴とする、トイガンの電力切断検出構造。
【請求項２】
前記回路部材が該輸送路及び該収容空間の一側に設置されることを特徴とする、請求項１に記載のトイガンの電力切断検出構造。
【請求項３】
前記ワイヤレスセンサー素子が該回路部材上に設置されることを特徴とする、請求項２に記載のトイガンの電力切断検出構造。
【請求項４】
前記回路部材の一側に第１結合アームが形成され、該回路部材の該第１結合アームの反対側に第２結合アームが形成されることを特徴とする、請求項２に記載のトイガンの電力切断検出構造。
【請求項５】
前記収容空間内に位置が該回路部材に対応する位置規制溝が形成されることを特徴とする、請求項１に記載のトイガンの電力切断検出構造。
【請求項６】
前記収容空間内に位置が該弾押出し装置に対応する位置規制部材が設けられることを特徴とする、請求項１に記載のトイガンの電力切断検出構造。
【請求項７】
前記位置規制部材上に位置が該ワイヤレスセンサー素子に対応する少なくとも１つの検出孔と、位置が該輸送路に対応する輸送通孔が設けられることを特徴とする、請求項６に記載のトイガンの電力切断検出構造。
【請求項８】
前記弾押出し装置が、弾押出し部材と、該弾押出し部材の該マズルから離れた一側に連接された連動部材と、該連動部材の一側に設置されたブロック部材と、両側がそれぞれ該連動部材及び該ブロック部材に当接された弾性部材を備えることを特徴とする、請求項１に記載のトイガンの電力切断検出構造。
【請求項９】
前記ワイヤレスセンサー素子の数量が２個であることを特徴とする、請求項１に記載のトイガンの電力切断検出構造。
【請求項１０】
前記ワイヤレスセンサー素子が赤外線遮断センサーであることを特徴とする、請求項１に記載のトイガンの電力切断検出構造。
【考案の詳細な説明】
【技術分野】
【０００１】
本考案はトイガンの電力切断検出構造に関し、特に、本物の銃で弾がないときの撃発機構を模擬し、電気エネルギーと摩擦による損耗を減少するとともに、特殊なマガジンを使用する必要なく弾がないときに電力を切断することができる、トイガンの電力切断検出構造に関する。
【背景技術】
【０００２】
トイガンは、銃の外観をした玩具である。バッテリーを動力として使用し、トリガーを引いたときに音と光の効果を発生するものや、圧縮空気または少量の火薬を通じて、殺傷力のないプラスチック製弾丸を発射できるものがある。
【０００３】
そのうち、電力で駆動するトイガンは俗に「電動ガン」と呼ばれている。その発射原理は、モーターによりギアボックスを駆動し、ピストンポンプでスプリングを圧縮させ、ギアボックスの反覆循環を利用して自動装弾の操作を行う。これにより空気圧を通じて弾丸を発射し、本物の銃を模擬した撃発効果を達成することができる。
【０００４】
しかしながら、上述の電動ガンは使用時に次のような問題と欠点が存在し、改善が必要である。
【０００５】
第１に、ほとんどのトイガンがマガジン内に弾丸がないとき、モーターにはまだ電力があるため、動作が持続し、本物の銃弾がないときの撃発機構を模擬できない。
【０００６】
第２に、上述のマガジン内に弾丸がなくなった後もモーターが動作を持続するため、電気エネルギーの無駄を引き起こすだけでなく、部品の損壊を招く可能性もある。
【０００７】
第３に、現在すでに開発されている弾がないときに電力を切断する設計はいずれも「マガジンフォロワー」を備えた特殊なマガジンを使用する必要があり、該マガジンを使用しないと収容空間中に弾丸があるか否かを検出することができない。
【０００８】
第４に、上述の従来の弾がないときに電力を切断する構造は、圧迫方式でマガジンに弾丸が残留しているか否かを検出するため、長期使用すると摩擦により部品の破損が生じやすくなる。
【考案の概要】
【考案が解決しようとする課題】
【０００９】
本考案は、トイガン本体内に設置したワイヤレスセンサー素子を通じて、マガジンに輸送されてくる弾丸を検出し、それによりマガジン内に弾丸がないとき自動的に電力を切断する効果を達成し、電気エネルギーと摩擦による損耗を減少すると同時に、本物の銃弾がないときの撃発機構を模擬する、トイガンの電力切断検出構造を提供することを課題とする。
【課題を解決するための手段】
【００１０】
以下この考案について説明する。請求項１に記載するトイガンの電力切断検出構造は、主に、トイガン本体と、輸送路と、収容空間と、回路部材と、少なくとも１つのワイヤレスセンサー素子と、弾押出し装置を含み、
該トイガン本体の一側にマズルが定義され、
該輸送路が該トイガン本体内に定義され、該輸送路にマガジンが連接され、
該収容空間が該トイガン本体内に定義され、かつ該マズル及び該輸送路と相互に連通され、 
該回路部材が該トイガン本体内に設置され、
該ワイヤレスセンサー素子が該トイガン本体内に設置され、該回路部材に電気的に接続され、かつ該ワイヤレスセンサー素子が該輸送路及び該収容空間の一側に配置され、該マガジンから輸送されてくる複数の弾丸を検出するために用いられ、
該弾押出し装置が該収容空間の該マズルから離れた一側に設置され、該回路部材に電気的に接続され、かつ該弾押出し装置の一側が該ワイヤレスセンサー素子の近隣に位置する。
【００１１】
請求項２に記載するトイガンの電力切断検出構造は、請求項１における回路部材が該輸送路及び該収容空間の一側に設置される。
【００１２】
請求項３に記載するトイガンの電力切断検出構造は、請求項２におけるワイヤレスセンサー素子が該回路部材上に設置される。
【００１３】
請求項４に記載するトイガンの電力切断検出構造は、請求項２における回路部材の一側に第１結合アームが形成され、該回路部材の該第１結合アームの反対側に第２結合アームが形成される。
【００１４】
請求項５に記載するトイガンの電力切断検出構造は、請求項１における収容空間内に位置が該回路部材に対応する位置規制溝が形成される。
【００１５】
請求項６に記載するトイガンの電力切断検出構造は、請求項１における収容空間内に位置が該弾押出し装置に対応する位置規制部材が設けられる。
【００１６】
請求項７に記載するトイガンの電力切断検出構造は、請求項６における位置規制部材上に位置が該ワイヤレスセンサー素子に対応する少なくとも１つの検出孔と、位置が該輸送路に対応する輸送通孔が設けられる。
【００１７】
請求項８に記載するトイガンの電力切断検出構造は、請求項１における弾押出し装置が、弾押出し部材と、該弾押出し部材の該マズルから離れた一側に連接された連動部材と、該連動部材の一側に設置されたブロック部材と、両側がそれぞれ該連動部材及び該ブロック部材に当接された弾性部材を備える。
【００１８】
請求項９に記載するトイガンの電力切断検出構造は、請求項１におけるワイヤレスセンサー素子の数量が２個である。
【００１９】
請求項１０に記載するトイガンの電力切断検出構造は、請求項１におけるワイヤレスセンサー素子が赤外線遮断センサーである。
【考案の効果】
【００２０】
上述の構造により、使用者は輸送路を利用してマガジンを連接し、使用者がトリガーを引いたとき、収容空間に配置された弾押出し装置が後方へ移動し、すなわち、輸送路のマズルから離れた一側に向かって移動して、マガジンに弾丸を輸送路と収容空間が交わる箇所まで送り出させ、このときワイヤレスセンサー素子が該位置に対して検出を実行し、物体があることが検出されると、まだ弾丸があることを表すため、弾押出し装置が作動を継続するが、弾丸を使い切ったとき、使用者が再度トリガーを引いて弾押出し装置を後方へ移動させると、このときワイヤレスセンサー素子がいかなる弾丸も検出しないため、回路部材に対してマガジン内に弾丸がないことを示す信号を伝送し、回路部材に弾押出し装置の電源を切断させることができる。
【００２１】
これにより、特殊なマガジンを使用しなくても弾がない時に電力を切断する効果を達成することができ、本物の銃弾がないときの撃発機構を模擬できるだけでなく、電気エネルギーの損耗を減少でき、同時にワイヤレスセンサー素子のワイヤレス検出構造を通じて、摩擦損耗を減少する効果を達成することができる。
【００２２】
上述の技術により、従来の電動ガンに存在する本物の銃弾がないときの撃発機構を模擬できない、部品の破損を生じやすい、電気エネルギーが無駄になる、弾がないときに電力を切断するために特殊なマガジンを使用しなければならない、といった問題点を打破し、上述の利点の実用的進歩性を達成することができる。
【図面の簡単な説明】
【００２３】
【図１】本考案の最良の実施例の立体図である。
【図２】本考案の最良の実施例の断面図である。
【図３】本考案の最良の実施例の分解図である。
【図４】本考案の最良の実施例のコッキングを示す立体透視図である。
【図５】本考案の最良の実施例の圧縮を示す断面図である。
【図６】本考案の最良の実施例の撃発を示す断面図である。
【図７】本考案の最良の実施例の電力切断を示す断面図である。
【考案を実施するための形態】
【００２４】
図１から図３の本考案の最良の実施例の立体図から分解図までを参照する。これらの図からはっきりと分かるように、本考案は、トイガン本体１と、輸送路１２と、収容空間１３と、回路部材２と、少なくとも１つのワイヤレスセンサー素子３と、弾押出し装置４を含む。
【００２５】
該トイガン本体１は一側にマズル１１が定義される。
【００２６】
該輸送路１２は該トイガン本体１内に定義され、該輸送路１２にマガジンが連接される。
【００２７】
該収容空間１３は該トイガン本体１内に定義され、かつ該マズル１１及び該輸送路１２と相互に連通される。 
【００２８】
該回路部材２は該トイガン本体１内に設置される。
【００２９】
該ワイヤレスセンサー素子３は該トイガン本体１内に設置され、該回路部材２に電気的に接続され、かつ該ワイヤレスセンサー素子３は該輸送路１２及び該収容空間１３の一側に配置され、該マガジンから輸送されてくる複数の弾丸を検出する。
【００３０】
該弾押出し装置４は該収容空間１３の該マズル１１から離れた一側に設置され、該回路部材２に電気的に接続され、かつ該弾押出し装置４の一側が該ワイヤレスセンサー素子３の近隣に位置する。
【００３１】
好ましくは、回路部材２が輸送路１２及び収容空間１３の一側に設置され、例えば輸送路１２と収容空間１３が交わる箇所とする。
【００３２】
好ましくは、回路部材２がプリント配線板である。
【００３３】
好ましくは、ワイヤレスセンサー素子３が赤外線遮断センサーである。
【００３４】
好ましくは、本実施例のトイガンは電動ガンを例とする。
【００３５】
本実施例において、回路部材２の一側に第１結合アーム２１が形成され、他側に第２結合アーム２２が形成され、回路部材２が逆Ｕ字形の態様を呈し、かつワイヤレスセンサー素子３の数量は２つを例とし、第１結合アーム２１と第２結合アーム２２上にそれぞれ設置される。
【００３６】
本実施例において、弾押出し装置４は弾押出し部材４１と、弾押出し部材４１のマズル１１から離れた一側に連接された連動部材４２と、連動部材４２の一側に設置されたブロック部材４３と、両側がそれぞれ連動部材４２及びブロック部材４３に当接された弾性部材４４を含み、弾性部材４４がスプリングを例とする。
【００３７】
本実施例において、収容空間１３内に位置が回路部材２に対応した位置規制溝１３１が形成される。
【００３８】
本実施例において、収容空間１３内に位置が弾押出し装置４に対応した位置規制部材５が設置され、かつ位置規制部材５上に位置がワイヤレスセンサー素子３に対応した少なくとも１つの検出孔５１と、位置が輸送路１２に対応した輸送通孔５２が設けられる。
【００３９】
上述の説明から、本技術の構造を理解することができるであろう。この構造の組み合わせにより、特殊なマガジンを使用しなくても、弾丸がないときに自動的に電力を切断でき、それにより本物の銃弾がないときの撃発機構を形成すると同時に、電気エネルギー及び摩擦の損耗を減少することができる。以下の説明で詳細に解説する。
【００４０】
再度図１から図７の本考案の最良の実施例の立体図から電力切断を示す断面図を同時に参照する。上述の構造で構成したとき、これらの図からはっきりと分かるように、本考案の時使用は、まずトイガン本体１の輸送路１２がマガジン６に連接され、マガジン６内のスプリングが弾丸７を上へ押し、最上方の弾丸７を弾押出し装置４中の弾押出し部材４１下側へ押し当てる。このとき、弾押出し部材４１は弾丸７が輸送路１２から収容空間１３内へ進入することを阻止し、閉鎖状態にある。
【００４１】
電動ガンの構造を通じて、使用者がトリガーを引くと、モーターが回転を開始して歯車を回転させ、ラックとピニオンの伝動方式で連動部材４２を後方へ移動させる。弾押出し部材４１は連動部材４２上に連接されているため、弾押出し部材４１も同時に後退し、弾押出し部材４１による遮断がなくなることでマガジン６内の弾丸７がマガジン６内のスプリングにより押されて収容空間１３内へ進入し、２つのワイヤレスセンサー素子３の間に配置される。
【００４２】
弾押出し部材４１が後退すると同時に、ワイヤレスセンサー素子３が作動する。上述の本実施例におけるワイヤレスセンサー素子３は赤外線遮断センサーであり、その数量は２つで、そのうち１つは赤外線信号の送信に用いられ、もう１つは赤外線信号の受信に用いられる。このため、２つのワイヤレスセンサー素子３間の信号が遮断されたとき、マガジン６内に弾丸７があることを表し、弾押出し装置４が作動を継続する。
【００４３】
連動部材４２が弾押出し部材４１を死点まで後退させた後、弾性部材４４がブロック部材４３上で反発する構造のため、弾押出し部材４１が押し戻されて収容空間１３中に進入し、輸送路１２から収容空間１３中に進入した弾丸７に当たり、弾丸７を内腔に進入させ、装弾の動作が完了する。その後ピストンで空気を押圧し、弾押出し部材４１を通過させ、弾丸７をマズル１１から射出させる。
【００４４】
マガジン６内の弾丸７が尽きたとき、使用者が再度トリガーを引いた場合、弾押出し部材４１は依然として上述の動作のとおり後方に引かれ、ワイヤレスセンサー素子３も収容空間１３の位置に対して検出を行うが、マガジン６内にはすでに弾丸７がないため、弾押出し部材４１が後方へ引かれると同時に、２つのワイヤレスセンサー素子３相互間には遮蔽物がなくなり、赤外線信号が一端から他端に送信され、ワイヤレスセンサー素子３がマガジン６内に弾丸７がないと判定し、弾がないという信号が回路部材２に送信され、回路部材２が弾押出し装置４とモーターに対して供給されている電気エネルギーを切断し、弾押出し装置４とモーターの作動を停止させ、電力切断の効果が達成される。
【００４５】
上述のトリガーを引いて弾丸７が撃発されるまでの動作はいずれも従来の電動ガンの構造であるため、図面では本考案の重点部分のみを開示しており、上述のワイヤレスセンサー素子３をトイガン本体１内に設置する構造を通じて、マガジンフォロワーを装備した特殊な規格のマガジンを使用する必要なく、弾がないときに電力を切断する効果を達成し、本物の銃弾がないときの撃発機構を模擬すると同時に、電気エネルギーの無駄を回避することができる。また、ワイヤレス検出の設計により弾丸７に直接接触する必要なく検出を行うことができ、摩擦損耗を減少して全体の使用寿命を延長することができる。
【００４６】
本実施例において、回路部材２上の第１結合アーム２１と第２結合アーム２２はトイガン本体１上に接着する方式を例とし、第１結合アーム２１と第２結合アーム２２により回路部材２を逆Ｕ字形の態様として、回路部材２を収容空間１３内に設置し、弾押出し部材４１上に跨設させることができ、これにより、ワイヤレスセンサー素子３を輸送路１２の一側の回路部材２上に直接設置でき、別途配線を設ける必要がなく、全体の実用性と利便性が向上される。
【００４７】
本実施例において、位置規制溝１３１の構造は回路部材２に対して位置規制を行うために用いられ、それにより回路部材２をトイガン本体１上にしっかりと結合させる。位置規制溝１３１は回路部材２上側の弧線に適合する弧形溝を例とする。
【００４８】
本実施例において、位置規制部材５の構造は、弾押出し部材４１に対して位置規制を行うために用いられ、位置規制部材５は弾押出し部材４１の外側を覆う管体を例とし、それにより弾押出し部材４１の送り出しを安定させる。位置規制部材５上の検出孔５１の位置はワイヤレスセンサー素子３の構造に対応し、ワイヤレスセンサー素子３が射出する赤外線信号が位置規制部材５に遮蔽されないようにする。このほか、位置規制部材５上の輸送通孔５２の構造は、輸送路１２から輸送通孔５２を通過して弾丸７を収容空間１３中に進入させ、弾丸７が位置規制部材５により遮蔽されないようにする。
【００４９】
このように、本考案のトイガンの電力切断検出構造は、次を重点として従来の技術を改善することができる。
【００５０】
第１に、ワイヤレスセンサー素子３の構造を通じて、マガジン６内に弾丸７があるか否かを検出でき、マガジン６内に弾丸７がなく、トリガーが引かれるとすぐに電力が切断され、本物の銃の弾がないときの撃発機構を模擬すると同時に、不必要な電気エネルギーの無駄を回避することができる。
【００５１】
第２に、ワイヤレスセンサー素子３をトイガン本体１内に設置する構造を通じて、使用者はマガジンフォロワーを装備した特殊な規格のマガジンを使用する必要なく、一般のマガジン６を使用しても弾がないときの電力切断効果を達成することができる。
【００５２】
第３に、ワイヤレスセンサー素子３のワイヤレス検出設計を通じて、作動過程における摩擦損耗を減少し、全体の使用寿命を延長することができる。
【００５３】
第４に、回路部材２上の第１結合アーム２１と第２結合アーム２２の構造を通じて、回路部材２を収容空間１３内に設置して、弾押出し部材４１上に跨設させることができ、かつワイヤレスセンサー素子３を回路部材２上に設置できるため、別途配線を増設する必要がない。
【符号の説明】
【００５４】
１    トイガン本体
１１    マズル
１２    輸送路
１３    収容空間
１３１    位置規制溝
２    回路部材
２１    第１結合アーム
２２    第２結合アーム
３    ワイヤレスセンサー素子
４    弾押出し装置
４１    弾押出し部材
４２    連動部材
４３    ブロック部材
４４    弾性部材
５    位置規制部材
５１    検出孔
５２    輸送通孔
６    マガジン
７    弾丸
【図１】
0003229566.tif 000003
【図２】
0003229566.tif 000004
【図３】
0003229566.tif 000005
【図４】
0003229566.tif 000006
【図５】
0003229566.tif 000007
【図６】
0003229566.tif 000008
【図７】
0003229566.tif 000009